(57)【要約】【課題】多段中継を行うデジタル多段伝送システムにおいて、受信支援情報から各中継地点での受信状況が把握し得るとともに、各中継地点での受信状態の制御が可能なデジタル多段伝送システムを提供する。【解決手段】映像信号または音声信号を符号化処理した符号化処理信号よりＴＳ信号を作成し、無線により多段伝送を行うデジタル多段伝送システムであり、デジタル伝送システムが、初段送信部１０１と、初段送信部１０１よりの送信信号を受信して信号処理する数段階の中継受信送信部１０２〜１０４と、中継受信送信部の最終受信部１０５とからなり、中継受信送信部１０２〜１０４にてヌルパケットを各中継地点の識別信号と受信支援情報とに置換し、最終受信部１０５の最終段受信支援情報生成手段の出力と復元手段の出力とを多重化する受信支援情報多重化手段の出力に基づいて各中継地点の受信機および最終段受信機の各架台を制御するようにしたデジタル多段伝送システムである。【選択図】図１
2010171681.tif 000002
【特許請求の範囲】
【請求項１】
映像信号または音声信号を符号化処理しＴＳパケット信号を作成して多段伝送を行うデジタル多段伝送システムにおいて、
該デジタル伝送システムが、前記映像信号または音声信号を符号化処理したＴＳパケット信号を無線伝送する初段送信部と、該初段送信部からのＴＳパケット信号を受信して信号処理し数段階の無線伝送による中継を行う中継受信送信部と、該中継受信送信部の最終受信部とからなり、
前記初段送信部は、前記映像信号または音声信号を符号化処理する符号化処理手段と、前記符号化処理手段の出力信号からＴＳパケット信号を作成するＴＳパケット信号作成手段と、ヌルパケットを作成するヌルパケット発生手段と、前記ＴＳパケット信号作成手段の出力信号を前記ヌルパケットと多重化する多重化手段と、該多重化手段の出力信号を無線伝送する送信手段とを有し、
前記中継受信送信部は、前記初段送信部の送信手段からの送信信号を受信し、前記ヌルパケットを含むＴＳパケット信号を出力する受信機と、該受信機から受信に関するデータを得て受信支援情報を生成すると共に各中継地点の識別情報を含んだ情報を生成する受信支援情報生成手段と、前記受信機の出力信号に含まれるヌルパケット出力を前記受信支援情報生成手段からの出力信号と置換するヌルパケット置換手段と、前記ヌルパケット置換手段からの出力信号を無線送信する送信手段とを有し、
前記最終受信部は、前記中継送信部の送信手段より送信した信号を受信し、前記ヌルパケットを含むＴＳパケット信号を出力する受信機と、該受信機の出力信号を前記映像信号または音声信号のＴＳパケット信号と前記受信支援情報のＴＳパケット信号に分離する分離手段と、該分離手段から得られるＴＳパケット信号により映像信号または音声信号を復号化する復号化手段と、前記分離手段から得られる前記受信支援情報のＴＳパケット信号から前記各中継地点の受信支援情報を復元する復元手段と、前記受信機から最終段における識別情報を含んだ受信支援情報を生成する最終段受信支援情報生成手段と、該最終段受信支援情報生成手段の出力信号と前記復元手段の出力信号とを多重化する受信支援情報多重化手段と、該受信支援情報多重化手段の出力信号から前記各中継地点の受信機および前記最終段受信機の各架台を制御する制御手段と、前記受信支援情報多重化手段の出力信号を前記受信支援情報のグラフィック信号に変換する受信支援情報表示信号作成手段と、前記受信支援情報表示信号作成手段の出力信号を表示するグラフィックモニタとを具えていることを特徴とするデジタル多段伝送システム。
【請求項２】
請求項１に記載のデジタル多段伝送システムにおいて、前記ヌルパケット置換手段は、前記受信機の出力信号のＴＳ信号を１ＴＳ時間遅延する遅延手段と、前記受信機の出力信号のＴＳパケット信号がヌルパケットを含むか否かを検出する検出手段と、前記検出手段により前記遅延手段の出力と前記受信支援情報作成手段の出力とを所定回数切り換える切換手段から構成することを特徴とするデジタル多段伝送システム。
【請求項３】
請求項１に記載のデジタル多段伝送システムにおいて、前記最終受信部の制御手段は、前記無線伝送とは異なる回線により前記中継受信送信部の受信機の架台および前記最終受信部の受信機及びアンテナを搭載する架台を制御することを特徴とするデジタル多段伝送システム。
【請求項４】
請求項１に記載のデジタル多段伝送システムにおいて、前記受信支援情報表示信号作成手段は、前記受信支援情報表示信号を前記グラフィックモニタに表示するときに、前記各中継地点の受信支援情報表示信号を各中継地点個別に全画面で表示する表示モードと、前記各中継地点の受信支援情報表示信号を縮小して一全画面で全て表示する表示モードと、前記復号化手段の出力映像信号もグラフィック信号に変換して混合し表示する表示モードとを切り換える表示選択手段を有することを特徴とするデジタル多段伝送システム。
【発明の詳細な説明】
【技術分野】
【０００１】
本発明は、デジタル多段伝送システムに関し、特に映像信号等のＴＳ信号を多地点を経由して伝送するデジタル多段伝送システムに係り、中継地点別に受信機の伝送路特性となる受信支援情報をＴＳ信号に重畳して伝送するデジタル多段伝送システムに関する。
【背景技術】
【０００２】
デジタル伝送システムは、放送番組素材の映像信号や音声信号をＭＰＥＧ−ＴＳ（Moving Pictures Experts Group - Transport Stream）で符号化し、符号化した信号をＦＰＵ（Field Pick-up Unit）などの無線伝送装置を用いて無線伝送するシステムである。
【０００３】
デジタル伝送システムでは、番組素材を伝送する際、単に送信機から受信機に伝送するだけでなく、複数の中継地点を経由して伝送されることがあり、そのような場合、符号化されたデータを送信機からある中継地点の受信機に送信し、その後また、その中継地点の送信機により他の中継地点の受信機に送信を行って伝送している。このような伝送動作を複数回行って、基地局となるＦＰＵ基地局に伝送している。
【０００４】
また、ＦＰＵによる伝送はマイクロ波中継であり、電波の伝送に障害を与えることがない、見通しがきく場所に中継地点を設定しないと送受できないことから、見通しがきく場所に中継局を設置しており、中継局が複数段必要になる場合が多い。このような多段の伝送方法はＳＴＬ（Studio to Transmitter Link）やＴＴＬ（Transmitter to Transmitter Link）でも利用されている。
【０００５】
従来、デジタルＦＰＵの受信機では、現在の受信状況を受信支援情報として表示している。受信支援情報としては、コンスタレーション／スペクトラム、遅延プロファイル、ＣＨ、ＢＬ値、ＭＥＲ、ＢＥＲ、ＭＡＲＧＩＮ、変調方式、符号化率がある。これらの情報を用いて、送受信点の配置決定やアンテナ方向調整及び運用中監視が行われる。
【０００６】
図１０を参照し従来の多段伝送システムについて説明すると、移動中継局が撮像現場からの映像信号をマイクロ波帯の電波Ｗ１〜Ｗｎを用いて、送信側の送信部Ｔｘ１から複数の中継局（受信部Ｒｘ１〜Ｒｘｎと多重部ＭＵＸ１，ＭＵＸ２…〜ＳＥＬ、送信部Ｔｘ２〜Ｔｘｎ）を経て、放送局へと無線伝送される。中継局の初段では、ＴＳ信号のＩＤ値（中継局を特定する情報）とし００を付与しＮＵＬＬデータをＩＤ００に置き換え、受信復号信号を次段の送信機にＴＳ信号とし受け渡す。第２段目以降の中継局においても受信復号信号を次段の送信機にＴＳ信号として受け渡す際、受信状況情報用ＩＤ検知器とＩＤ制御部がＩＤを調べ、ＩＤが００であれば、２段目の受信復号信号にＩＤ＝０１を付与し、ＮＵＬＬデータをＩＤ０１に置き換える。３段目の中継局では、受信復号信号に００のＩＤがあり、かつ、０１のＩＤがある場合、ＩＤ＝０２を使用してＮＵＬＬデータをＩＤ０２に置き換えて、３段目の受信復号信号を次段の送信機にＴＳ信号とし受け渡しており、ＮＵＬＬデータをその中継地点のＩＤ値に置き換えて受信状況情報を映像信号に重畳して送るシステムである（例えば、特許文献１参照）。
【０００７】
また、他の従来例としては、ＤＶＢ（Digital Video Broadcast ）規格で伝送する多段伝送システムがあり、この多段伝送システムでは送信側処理部のＤＶＢ符号化処理部でＴＳパケット構造（パケット構造がヘッダー情報４バイト、ペイロード情報１８４バイト、ダミー情報１６バイトの２０４バイトからなる）のダミー情報領域に受信補助情報を重畳して送信する伝送システムや受信補助情報をＴＳ信号のＮＵＬＬ情報領域のヌルパケットと書き換える伝送システムがある（例えば、特許文献２参照）。
【先行技術文献】
【特許文献】
【０００８】
【特許文献１】特開２００７−２５１７０５号公報
【特許文献２】特開２００６−１５７３３７号公報
【発明の概要】
【発明が解決しようとする課題】
【０００９】
多段伝送システムでは、各中継地点の識別情報だけを加えるのであれば、ＴＳ信号（以降、ＴＳパケットと称する）中のヘッダ領域のＰＩＤ（Packet Identification ）値を変えることにより対応可能であるが、ＰＩＤは多重化処理する際に変更される場合があり、また、多段伝送システムのように数段回で信号処理される場合には制約を受けるためＴＳパケットのＰＩＤ領域のデータを書き変える手法を採用することができない。仮に採用した場合、各中継局の受信状態や障害に迅速に対応可能な多段伝送システムシステムを構築することは困難である。
【００１０】
特許文献１の多段伝送システムは、中継点の受信状態をスタジオ等に伝送して中継点の受信状態を表示しているが、上記と同様な技術であり、情報量の多少から発生するデータ伝送の破錠を防止するＮＵＬＬデータを利用し、このＮＵＬＬデータをＩＤ値に置き換えているに過ぎず、従って、ＮＵＬＬデータを受信状態の制御が可能な別のパケット信号に置き換えるという技術ではなく、多段伝送システムの場合には各中継局の受信状態や障害を正確に把握して制御することができない欠点があった。
【００１１】
また、特許文献２の多段伝送システムでは、図１１に示したが、最初のＴＳパケットのヘッダー情報７１  とペイロード領域７２  とパリティ情報７３  とからなり、ペイロード領域７２  には、映像信号、音声信号の情報が伝送されるが、次のＴＳパケットでは、ＮＵＬＬ情報８１  とダミー情報７３  とに、例えば、“１１１１・・・”のビット列が書き込まれて伝送される。この従来例ではＰＩＤ領域のデータを変えることなく、そのままのパケットを使用するとこのビット列がヌルパケットと判断されてシステムによっては破棄されるおそれがあり、好ましいものではない。
【００１２】
本発明は、上記課題に鑑みてなされたものであり、多段中継を行うデジタル多段伝送システムにおいて、受信支援情報から各中継地点の受信状況が把握し得るとともに、各中継地点の受信状態の制御が可能なデジタル多段伝送システムを提供することを目的とする。
【課題を解決するための手段】
【００１３】
本発明は、上記課題を達成したものであり、請求項１の発明は、映像信号または音声信号を符号化処理しＴＳパケット信号を作成して多段伝送を行うデジタル多段伝送システムにおいて、
該デジタル伝送システムが、前記映像信号または音声信号を符号化処理したＴＳパケット信号を無線伝送する初段送信部と、該初段送信部からのＴＳパケット信号を受信して信号処理し数段階の無線伝送による中継を行う中継受信送信部と、該中継受信送信部の最終受信部とからなり、
前記初段送信部は、前記映像信号または音声信号を符号化処理する符号化処理手段と、前記符号化処理手段の出力信号からＴＳパケット信号を作成するＴＳパケット信号作成手段と、ヌルパケットを作成するヌルパケット発生手段と、前記ＴＳパケット信号作成手段の出力信号を前記ヌルパケットと多重化する多重化手段と、該多重化手段の出力信号を無線伝送する送信手段とを有し、
前記中継受信送信部は、前記初段送信部の送信手段からの送信信号を受信し、前記ヌルパケットを含むＴＳパケット信号を出力する受信機と、該受信機から受信に関するデータを得て受信支援情報を生成すると共に各中継地点の識別情報を含んだ情報を生成する受信支援情報生成手段と、前記受信機の出力信号に含まれるヌルパケット出力を前記受信支援情報生成手段からの出力信号と置換するヌルパケット置換手段と、前記ヌルパケット置換手段からの出力信号を無線送信する送信手段とを有し、
前記最終受信部は、前記中継送信部の送信手段より送信した信号を受信し、前記ヌルパケットを含むＴＳパケット信号を出力する受信機と、該受信機の出力信号を前記映像信号または音声信号のＴＳパケット信号と前記受信支援情報のＴＳパケット信号に分離する分離手段と、該分離手段から得られるＴＳパケット信号により映像信号または音声信号を復号化する復号化手段と、前記分離手段から得られる前記受信支援情報のＴＳパケット信号から前記各中継地点の受信支援情報を復元する復元手段と、前記受信機から最終段における識別情報を含んだ受信支援情報を生成する最終段受信支援情報生成手段と、該最終段受信支援情報生成手段の出力信号と前記復元手段の出力信号とを多重化する受信支援情報多重化手段と、該受信支援情報多重化手段の出力信号から前記各中継地点の受信機および前記最終段受信機の各架台を制御する制御手段と、前記受信支援情報多重化手段の出力信号を前記受信支援情報のグラフィック信号に変換する受信支援情報表示信号作成手段と、前記受信支援情報表示信号作成手段の出力信号を表示するグラフィックモニタとを具えていることを特徴とするデジタル多段伝送システムである。
【００１４】
また、請求項２の発明は、請求項１に記載のデジタル多段伝送システムにおいて、前記ヌルパケット置換手段は、前記受信機の出力信号のＴＳ信号を１ＴＳ時間遅延する遅延手段と、前記受信機の出力信号のＴＳパケット信号がヌルパケットを含むか否かを検出する検出手段と、前記検出手段により前記遅延手段の出力と前記受信支援情報作成手段の出力とを所定回数切り換える切換手段から構成することを特徴とするデジタル多段伝送システムである。
【００１５】
また、請求項３の発明は、請求項１に記載のデジタル多段伝送システムにおいて、前記最終受信部の制御手段は、前記無線伝送とは異なる回線により前記中継受信送信部の受信機及びアンテナを搭載する架台および前記最終受信部の受信機及びアンテナを搭載する架台を制御することを特徴とするデジタル多段伝送システムである。
【００１６】
また、請求項４の発明は、請求項１に記載のデジタル多段伝送システムにおいて、前記受信支援情報表示信号作成手段は、前記受信支援情報表示信号を前記グラフィックモニタに表示するときに、前記各中継地点の受信支援情報表示信号を各中継地点個別に全画面で表示する表示モードと、前記各中継地点の受信支援情報表示信号を縮小して一全画面で全て表示する表示モードと、前記復号化手段の出力映像信号もグラフィック信号に変換して混合し表示する表示モードとを切り換える表示選択手段を有することを特徴とするデジタル多段伝送システムである。
【発明の効果】
【００１７】
請求項１の発明によれば、各中継地点の受信支援情報が出力映像信号と同時に得られるので、各中継地点の受信状態をリアルタイムに監視することが可能であり、また、各中継地点の受信支援情報を一覧表示することにより、障害の発生が疑わしい中継地点を、各中継地点の情報を比較することによって、容易に把握することができ、障害時に迅速に対処することが可能になる。また、最終受信部の受信支援情報多重化手段の出力信号から各中継地点の受信機および最終段受信機の各架台を制御する制御手段が具えられており、中継地点が山間部などである場合、山間部まで出向いて調整することなく遠隔操作で受信状態を調整して最良の受信状態に設定することが可能である利点がある。
【００１８】
また、伝送速度を合わせるために使用されているヌルパケットを中継局（受信地点）の識別情報と受信支援情報に置換することにより、不要な情報を伝送することが減るため全伝送パケットに占める伝送情報量が多くなり、結果として伝送効率が向上する利点がある。さらに、受信支援情報に加えて受信地点の識別情報を含ませているので、識別情報だけのＴＳパケットが不要になるため伝送効率が向上する効果を奏する。
【００１９】
また、請求項２の発明によれば、ヌルパケット置換回路をヌルパケット検出器、遅延器、ＴＳパケット作成器、切換器で構成することによって、小規模の回路で構成するこができるため、送信機に組み入れることも可能であり、中継局の送受信機をコンパクトに構成することができる利点がある。
【００２０】
また、請求項３の発明によれば、各中継地点の受信機及びアンテナの方向角（水平制御、垂直制御等）等の調整を、伝送路とは別の回線を使用することにより、主伝送路の特性に影響されずに遠隔操作可能となる利点があり、また、高速な制御を必要としないので、有線回線を利用しての制御も可能である利点がある。
【００２１】
また、請求項４の発明によれば、受信情報の表示モードを選択することが可能となるので、通常は全ての受信情報を一つの画面で監視し、何か異常が発生した場合には個別に表示するように切り換えて使用することができ、効率のよい監視システムを構築することができる。また、受信映像信号をグラフィック信号に変換して混合を行い、同時に表示することが可能となるので、受信画像も把握することが可能となる利点がある。
【図面の簡単な説明】
【００２２】
【図１】本発明のデジタル多段伝送システムの一実施例を示すブロック図である。
【図２】本実施例の初段送信部のブロック図である。
【図３】本実施例の中継受信送信部のブロック図である。
【図４】本実施例の最終段受信部のブロック図である。
【図５】図３のＴＳパケット置換回路のブロック図である。
【図６】（イ）〜（ニ）は、本実施例における各送信部の出力ストリームの構成を示した図である。
【図７】（ホ），（ヘ），（ト）は、本実施例における受信支援情報多重化回路の入出力を示した図である。
【図８】本実施形態における１受信地点の受信支援情報をグラフィック表示した例を示す図である。
【図９】本実施形態における４受信地点の受信支援情報をグラフィック表示した例を示す図である。
【図１０】従来のデジタル多段伝送システムの一例を示すブロック図である。
【図１１】従来のデジタル多段伝送システムにおける伝送信号のフレーム構造を示す図である。
【発明を実施するための形態】
【００２３】
以下、本発明に係るデジタル多段伝送システムの実施の形態について図面を参照して説明する。なお、本実施例では、本発明のデジタル多段伝送システムについて、送信から受信まで４段（送信と受信合わせて１段とする）伝送を例示し、入力信号には映像信号と音声信号とがあるが、映像信号として説明する。
【００２４】
図１は、本実施例のデジタル多段伝送システムのブロック図であり、１００はテレビカメラ或いはビデオカメラ等からの映像信号が入力される映像入力端子、１０１は映像信号が入力されて符号化処理される初段送信部、１０２，１０３及び１０４は送信・受信機及び送信・受信用アンテナを有する中継受信送信部、１０５は受信機と受信用アンテナとを有する最終段受信部、１０６は最終段受信部１０５の受信機からの出力信号を送出する映像出力端子であり、映像入力端子１００から入力された映像信号が初段送信部１０１からマイクロ波を搬送波とし変調されて中継受信送信部１０２，１０３及び１０４を経てデジタル伝送され、最終段受信部１０５の出力が映像出力端子１０６から送出される。また、中継送信部１０２，１０３及び１０４には送信・受信機及び送信・受信用アンテナが備えられ、これらの受信用のアンテナの方位角等及び受信機の調整値等が、最終段受信部１０５からの架台制御信号により制御されて最良の受信状態に設定されている。なお、同図（イ）〜（ニ）は各部の出力信号を示し、その詳細については後述する。
【００２５】
続いて、本実施例のデジタル多段伝送システムにおける各構成部分について説明する。先ず、初段送信部１０１について図２を参照し説明すると、１００は映像入力端子で図１と同じである。２００は映像信号を符号化処理するＭＰＥＧ−ＴＳ作成回路（符号化処理手段）、２０１は無効データを送出するヌルパケット発生回路（ヌルパケット発生手段）、２０２はＭＰＥＧ−ＴＳ作成回路２００からの符号化処理された映像信号とヌルパケット発生回路２０１からのヌルパケットとを多重化してパケット伝送するための多重化回路（多重化手段）、及び２０３は多重化処理した映像信号を無線送信する送信機（送信手段）である。なお、ＭＰＥＧ−ＴＳ作成回路２００は、映像入力端子１００から入力した映像信号に対してＭＰＥＧ−２の規格に基づいて符号化処理を行って、映像信号を１８８バイトからなるＴＳパケットを作成する。
【００２６】
ヌルパケット発生回路２０１は、パケットの識別情報（ＰＩＤ：Packet Identification）が０ｘ１ＦＦＦとなるヌルパケットを発生する。多重化回路２０２では、ＭＰＥＧ−ＴＳ作成回路２００の出力とヌルパケット発生回路２０１の出力とを多重化し伝送符号化処理する。通常、ＭＰＥＧ−ＴＳのビットレートに対してマイクロ波にしたときの伝送速度が大きいために、ＭＰＥＧ−ＴＳパケットだけでは不足するためにヌルパケットを付加して伝送速度を合わせる。多重化回路２０２ではこの不足分をヌルパケットを付加し一定のパケット長とする伝送符号化処理を行っている。送信機２０３では多重化回路２０２からの出力パケットをマイクロ波に変調して出力する。
【００２７】
中継受信送信部１０２，１０３及び１０４について図３を参照し説明する。図３は中継受信送信部１０２のブロック図であり、３００は受信用アンテナを有する受信機、３０１は受信用アンテナと受信機３００を搭載し、受信用アンテナの方位角・仰角等を調整可能な架台、３０２は中継地点受信支援情報生成回路、３０３はＴＳパケット置換回路及び３０４は送信用アンテナを有する送信機である。受信機３００は初段送信部１０１或いは前段の中継受信送信部１０２，１０３の送信機２０３から送られてくるマイクロ波を受けてＴＳパケットに復調し、ＴＳパケット信号による出力信号ａをＴＳパケット置換回路３０３に出力する。また、中継地点受信支援情報生成回路３０２は、ＴＳパケット置換回路３０３に受信支援情報である出力データｂを出力する。架台３０１は受信用アンテナを有する受信機３００が搭載され、最終段受信部１０５からの架台制御により受信用アンテナの方位角・仰角等及び受信機３００の調整値が制御されている。中継地点受信支援情報生成回路３０２は中継地点固有の識別情報と受信機３００から得たデータを基に受信支援情報の基になるデータｂを生成し、ＴＳパケット置換回路３０３に出力する。ＴＳパケット置換回路３０３では、初段送信部１０１で付加されたヌルパケットの一部を、識別情報と受信支援情報を含んだＴＳパケット（ＰＩＤが０ｘ１ＦＦＦでないパケット）に置き換える。送信機３０４は再びＴＳパケットをマイクロ波に変調して次段へと送信する。
【００２８】
次に、ＴＳパケット置換回路３０３について図５を参照し説明する。ＴＳパケット置換回路３０３は、ヌルパケット検出回路５００、１ＴＳ遅延回路５０１、ＴＳパケット作成回路５０２及び切換器５０３からなる。ヌルパケット検出回路５００は受信機３００の出力ａがヌルパケットか否か検出する。その検出方法はＰＩＤが０ｘ１ＦＦＦかどうかで検出して判定する。ヌルパケットのときは切換器５０３に対しＴＳパケット作成回路５０２側に切り換えるように制御する。１ＴＳ遅延回路５０１は出力ａを１ＴＳパケット分（１ＴＳ時間）遅延させる。ＰＩＤはＴＳパケットの先頭ではなく、先頭から１１ビット目から始まるためＰＩＤを検出する際の遅れを解消する１ＴＳ遅延回路５０１が設けられている。ＴＳパケット作成回路５０２は中継地点受信支援情報生成回路３０２の出力ｂからＴＳパケットを作成する。ＴＳパケットは全部で１８８バイトであるが、ヘッダ４バイトを除いた１８４バイトで作成するようにする。即ち、ＴＳパケット作成回路５０２では１ＴＳパケットで作成する。ＴＳパケットに使用するＰＩＤは予め設定したＩＤを使用する。切換器５０３は、出力ａがヌルパケットであるか否かを検出するヌルパケット検出回路５００からの切換信号に基づいて切り換え制御が行われ、切換信号が到来すると、ヘッダ領域の先頭の同期バイトを持ってＴＳパケット作成回路５０２側へ切り換える。切換器５０３は、出力ｃとして１ＴＳパケットのみ切り換えた後、元に戻しヌルパケットを送出する。
【００２９】
続いて、最終段受信部１０５について図４を参照し説明する。同図において、４００は受信機、４０１は受信用アンテナ及び受信機４００を搭載する架台、４０２はＴＳ分離回路、４０３はＭＰＥＧ復号回路、４０４は他地点受信支援情報復元回路、４０５は最終段受信支援情報生成回路、４０６は受信支援情報多重化回路、４０７は架台監視用ＰＣ（ＰＣ：Personal Computer）、４０８は表示選択器、４０９は受信支援情報表示信号作成回路、４１０はグラフィックモニタ、及び１０６は映像出力端子である。なお、架台４０１は架台制御信号により受信機４００の受信用アンテナの方位角・仰角等を調整できる架台である。
【００３０】
次に、最終段受信部１０５の動作について説明する。受信機４００はマイクロ波をアンテナを介して受信し復調を行い、ＴＳパケットをＴＳ分離回路４０２に出力する。また、受信機４００は最終段受信支援情報生成回路４０５に対してＭＥＲ（変調誤差比）やＭＡＲＧＩＮ（余裕度）などの受信支援情報の基となるデータを出力する。架台４０１は架台監視用ＰＣ４０７の架台制御信号により動作する架台である。ＴＳ分離回路４０２はＴＳパケットのＰＩＤによりＴＳ映像パケット（映像情報のみのＴＳパケット）と受信支援情報を含んだＴＳパケットに分離し、ＴＳ映像パケットをＭＰＥＧ復号回路４０３に出力し、受信支援情報を含んだＴＳパケットを他地点受信支援情報復元回路４０４に出力する。
【００３１】
ＭＰＥＧ復号回路４０３は、ＴＳ映像パケットから映像信号を復号し、その復号信号（映像信号）を出力端子１０６と受信支援情報表示信号作成回路４０９とに出力する。他地点受信支援情報復元回路４０４は受信支援情報を含んだＴＳパケットから受信支援情報を分離し、各地点における受信支援情報を復元して受信支援情報多重化回路４０６に出力する。また、最終段受信支援情報生成回路４０５は、図３の識別情報及び中継地点受信支援情報生成回路３０２と同様の回路で、識別情報を含む最終段の情報を受信支援情報多重化回路４０６に出力する。受信支援情報多重化回路４０６は他地点受信支援情報（ホ）と最終段受信支援情報（ヘ）とを多重化して一つの情報とした出力（ト）を、架台監視用ＰＣ４０７と受信支援情報表示信号作成回路４０９とに出力する。
【００３２】
また、表示選択器４０８は、グラフィックモニタ４１０の表示画面を切り換えるための選択信号を受信支援情報表示信号作成回路４０９に出力し、その出力をグラフィックモニタ４１０が表示する。受信支援情報表示信号作成回路４０９は受信支援情報をグラフィック信号として作成する回路であり、表示選択器４０８の表示モードにより受信支援情報のグラフィック信号を作成する。表示選択器４０８により選択可能な表示モードには、各中継地点（中継受信送信部１０２，１０３及び１０４）の受信支援情報をグラフィック信号としたもの、即ち各中継地点の受信支援情報表示信号をフル画面で個別に表示するモードと（例えば、図９（イ）〜（ニ））、各中継地点の受信支援情報を一つの画面で分離表示するモードと（例えば、図８）、各中継地点の受信支援情報と本線映像とを混合したグラフィック信号を表示するモードとが有り、表示選択器４０８はその用途に応じてこれらの表示モードを選択することができる。また、表示モードにより本線映像信号と混合したグラフィック信号を作成することも可能であり、その際は、本線映像をグラフィック信号（例えば、ＶＧＡ（Video Graphics Array））に変換する。
【００３３】
なお、分割表示画面はフル画面で受信支援情報グラフィク信号を作成し、この受信支援情報グラフィク信号を縮小し、縮小した画面を組み合わせて分割表示画面を作成して表示してもよい。または、各地点で一画面を４分割した大きさの受信支援グラフィク信号を作成し、この受信支援情報グラフィク信号を組み合わせて一画面とした分割表示画面を作成し、各地点の受信支援情報グラフィク信号をフル画面で表示する場合には拡大して表示する構成としてもよい。
【００３４】
また、架台監視用ＰＣ４０７は、表示選択器４０８、受信支援情報表示信号作成回路４０９、及びグラフィックモニタ４１０等とは異なった場所に設置して使用するものであり、パソコンのためにグラフィックモニタ４１０と同等なマルチ表示も可能である。また、架台監視用ＰＣ４０７は、各中継地点や最終段の受信機の架台３０１，４０１に対して制御を行う。これは伝送回路とは別の回線、例えば電話回線により架台制御を行う。具体的にはＭＡＲＧＩＮ（伝送余裕度）が極端に悪い場合、架台監視用ＰＣ４０７は、架台３０１，４０１に搭載された受信機３００，４００の受信用アンテナの方向調整（方位角又は仰角等に関わる水平制御または垂直制御）を、架台３０１，４０１を駆動することによって、所定のＭＡＲＧＩＮが得られるように架台制御し、最良の受信状態を確保している。
【００３５】
次に、本実施例の各送信部の出力ストリームについて、図６（イ）〜（ニ）を参照し説明する。同図は図１の各送信部の出力（イ）〜（ニ）に対応する出力ストリームの構成を示したものであり、同図（イ）は初段送信部１０１の出力、同図（ロ）は中継送信部１０２の出力、同図（ハ）は中継送信部１０３の出力、及び同図（ニ）は中継送信部１０４の出力である。（イ）の出力ストリームは初段送信部１０１の出力ストリームであり、映像パケットに続いて１ＴＳパケットのヌルパケットが連続するストリームであり、映像パケット、ヌルパケット、…となる。（ロ）の出力ストリームは、中継送信部１０２の出力であり、（イ）の出力ストリームの映像パケットの次のヌルパケットを、中継送信部１０２の識別番号と受信支援情報とに置き換えることにより、映像パケット、中継送信部１０２の識別番号と受信支援情報、ヌルパケット、…となる。（ハ）の出力ストリームは、中継送信部１０３の出力であり、（ロ）の出力ストリームの最初のヌルパケットを中継受信送信部１０３の識別番号と受信支援情報とに置き換えることにより、映像パケット、中継送信部１０２の識別番号と受信支援情報、中継受信送信部１０３の識別番号と受信支援情報、ヌルパケット、…となる。同様な動作を繰り返し、中継受信送信部１０４の出力ストリーム（ニ）は、映像パケット、中継受信送信部１０３の識別番号と受信支援情報、中継受信送信部１０３の識別番号と受信支援情報、中継受信送信部１０４の識別番号と受信支援情報、ヌルパケット、…となる。最終段受信部１０５の受信支援情報は最終段受信支援情報生成回路４０５で作成し、中継送信部１０４の出力ストリーム（ニ）の識別情報＋受信支援情報の後ろに多重化された情報を付加して架台監視ＰＣ４０７と受信支援情報表示信号作成回路４０９に供給する。
【００３６】
次に、受信支援情報多重化回路４０６の多重化について図７（ホ）〜（ト）を参照し説明する。図７（ホ）〜（ト）は、図４に示す受信支援情報多重化回路４０６の入力信号（ホ）、（ヘ）及び出力信号（ト）に対応する。図７の（ホ）は、他地点受信支援情報復元回路４０４の出力信号図であり、図７の（へ）は、最終段受信支援情報生成回路４０５の出力信号図であり、図７の（ト）は受信支援情報多重化回路４０６の出力信号図である。受信支援情報多重化回路４０６は、（ト）の出力信号図に示すように、中継送信部１０２、１０３、１０４及び最終段の順序で、識別情報と受信支援情報を多重化する。受信支援情報多重化回路４０６は出力信号（ト）を出力し、この出力信号（ト）を受信支援情報表示信号作成回路４０９に入力する。架台監視用ＰＣ４０７に対しても（ト）と同じ内容の信号を出力するが、ＬＡＮ（Local Area Network）で接続するときはその信号フォーマットに従う。
【００３７】
受信支援情報表示信号作成回路４０９は、復元された映像信号と出力信号（ト）とに基づいて作成した受信支援情報グラフィック信号による表示図を図８に示した。表示内容について、同図を参照し説明すると、ＣＨ名の「Ｃ１１」、変調方式の「ＯＦＤＭ  ＦＵＬＬ」及び「３２ＱＡＭ」、符号化率の「３／４」、入力信号のビットレートの「４４．７３６Ｍｂｐｓ」、インターリーブの遅延時間の「７５６ｍｓ」、変調誤差比の「ＭＥＲ」、余裕度の「ＭＡＲＧＩＮ」及び図下段真ん中は「遅延プロファイル」であり、受信支援情報とは各中継地点の識別子に基づくこれらの情報である。この図は受信地点毎に、識別情報と受信支援情報を作成し、表示選択器４０８の選択モードに従ってグラフィックモニタ４１０に表示する。
【００３８】
また、図９は、４中継地点（受信地点）の受信支援情報グラフィック信号を一つの画面で表示した場合の表示例である。一般的に通常はこの図９のように各中継地点の受信支援映像を縮小した表示をグラフィックモニタの一画面に表示し、何か異常があった場合には異常と思われる中継地点の画面を、図８のような個々の画面に切り換えて使用する。
【００３９】
なお、図９では４つの受信地点の場合についての表示例であるが、受信地点が５つ以上の場合には、４つの受信地点毎に１つの画面を作成し、マルチ画面で切り換えるように構成することも可能である。ただし、５つ以上の場合には表示選択器４０８の表示モードも分割表示を２種類以上にする。また、インターリーブ遅延時間は送信電波の変調方式がＯＦＤＭのとき有効となるが、ＯＦＤＭ以外では何も表示しない。また、ヌルパケットと置換する構成としたが、ＤＶＢ−ＡＳＩ規格で作成し、受信支援情報をダミー情報として付加した構成としてもよい。
【産業上の利用可能性】
【００４０】
本発明の活用例としては、マイクロ波帯を使用したデジタル伝送システムに利用され、一対向通信ではなく、多段に亘って伝送する場合に好適である。特に、山間部などを経由して伝送するデジタル多段伝送システムとして利用され、各中継地点での受信状態を遠隔操作で調整可能であり、多段伝送に有効である。
【符号の説明】
【００４１】
１００  映像入力端子
１０１  初段送信部
１０２，１０３，１０４  中継受信送信部
１０５  最終段受信部
１０６  映像出力端子
２００  ＭＰＥＧ−ＴＳ作成回路（符号化処理手段）
２０１  ヌルパケット発生回路（ヌルパケット発生手段）
２０２  多重化回路（多重化手段）
２０３  送信機（送信手段）
３００  受信機
３０１  架台
３０２  中継地点受信支援情報生成回路（受信支援情報生成手段）
３０３  ＴＳパケット置換回路（ＴＳパケット置換手段）
３０４  送信機（送信手段）
４００  受信機
４０１  架台
４０２  ＴＳ分離回路（分離手段）
４０３  ＭＰＥＧ復号回路（復号化手段）
４０４  他地点受信支援情報復元回路（復元手段）
４０５  最終段受信支援情報生成回路（最終段受信支援情報生成手段）
４０６  受信支援情報多重化回路（受信支援情報多重化手段）
４０７  架台監視用ＰＣ（制御手段）
４０８  表示選択器（表示選択手段）
４０９  受信支援情報表示信号作成回路（受信支援情報表示信号作成手段）
４１０  グラフィックモニタ
５００  ヌルパケット検出回路（検出手段）
５０１  １ＴＳ遅延回路（遅延手段）
５０２  ＴＳパケット作成回路（ＴＳパケット作成手段）
５０３  切換器（切換手段）
【図１】
2010171681.tif 000003
【図２】
2010171681.tif 000004
【図３】
2010171681.tif 000005
【図４】
2010171681.tif 000006
【図５】
2010171681.tif 000007
【図６】
2010171681.tif 000008
【図７】
2010171681.tif 000009
【図８】
2010171681.tif 000010
【図９】
2010171681.tif 000011
【図１０】
2010171681.tif 000012
【図１１】
2010171681.tif 000013